(57)【要約】  リンク階層情報収集部は、各基地局が送出したビーコン信号を受信して、リンク階層状態情報データベースに保存する。信号強度抽出部は、相手端末との間にＳＣＴＰセッションが確立されている間に、相手端末との通信リンクを提供する第１基地局が管理する第１通信領域と、第２基地局が管理する第２通信領域とが重複する地域に進入すれば、上記データベースに保存されているビーコン信号のうち第２基地局から受信したビーコン信号の信号強度を抽出する。ハンドオーバ実行部は、信号強度抽出部により抽出された信号強度が所定の第１臨界値より大きければ、第２基地局から受信したＩＰアドレスを相手端末との間に確立されたＳＣＴＰセッションに追加し、かつ第２基地局から受信したビーコン信号から抽出された信号強度が所定の第２臨界値より大きければ、相手端末に第２基地局から受信したＩＰアドレスによる通信実行を要請する。
2008546272.tif 000002
【特許請求の範囲】
【請求項１】
インターネットを介して相手端末とＩＰ通信を行うためのストリーミング制御伝送プロトコル（ＳＣＴＰ：Streaming Control Transmission Protocol）セッションを開始するとともに、前記相手端末との通信終了のために前記相手端末との間に確立されたＳＣＴＰセッションを終了するセッション管理部と、
前記インターネットに接続されたルータに接続されているそれぞれの基地局が送出したビーコン信号を受信するとともに、リンク階層状態情報データベースに保存するリンク階層情報収集部と、
前記相手端末との間に前記ＳＣＴＰセッションが確立されている間に、前記相手端末との通信リンクを提供する第１基地局が管理する第１通信領域と第２基地局が管理する第２通信領域とが重複する地域に進入すれば、前記リンク階層状態情報データベースに保存されているビーコン信号のうち前記第２基地局から受信したビーコン信号の信号強度を抽出する信号強度抽出部と、
前記信号強度抽出部により抽出された信号強度が所定の第１臨界値より大きければ、前記第２基地局から受信したＩＰアドレスを前記相手端末との間に確立されたＳＣＴＰセッションに追加し、かつ前記第２基地局から受信したビーコン信号から抽出された信号強度が所定の第２臨界値より大きければ、前記相手端末に前記第２基地局から受信したＩＰアドレスによる通信実行を要請するハンドオーバ実行部とを備えることを特徴とするＳＣＴＰ基盤のハンドオーバ機能を具備した端末装置。
【請求項２】
前記ハンドオーバ実行部は、前記第２基地局から受信したビーコン信号から抽出された信号強度が所定の第３臨界値より大きければ、前記相手端末に、前記第１基地局から受信したＩＰアドレスを前記相手端末との間に確立されたＳＣＴＰセッションから削除することを要請することを特徴とする請求項１に記載のＳＣＴＰ基盤のハンドオーバ機能を具備した端末装置。
【請求項３】
インターネットを介して相手端末とＩＰ通信を行うためのＳＣＴＰセッションを開始する段階と、
前記インターネットに接続されたルータに接続されているそれぞれの基地局が送出したビーコン信号を受信するとともに、リンク階層状態情報データベースに保存する段階と、
前記相手端末との間に前記ＳＣＴＰセッションが確立されている間に、前記相手端末との通信リンクを提供する第１基地局が管理する第１通信領域と第２基地局が管理する第２通信領域とが重複する地域に進入すれば、前記リンク階層状態情報データベースに保存されているビーコン信号のうち前記第２基地局から受信したビーコン信号の信号強度を抽出する段階と、
前記信号強度抽出段階により抽出された信号強度が所定の第１臨界値より大きければ、前記第２基地局から受信したＩＰアドレスを前記相手端末との間に確立されたＳＣＴＰセッションに追加し、かつ前記第２基地局から受信したビーコン信号から抽出された信号強度が所定の第２臨界値より大きければ、前記相手端末に前記第２基地局から受信したＩＰアドレスによる通信実行を要請する段階とを含むことを特徴とするＳＣＴＰ基盤のハンドオーバ方法。
【請求項４】
前記第２基地局から受信したビーコン信号から抽出された信号強度が所定の第３臨界値より大きければ、前記相手端末に、前記第１基地局から受信したＩＰアドレスを前記相手端末との間に確立されたＳＣＴＰセッションから削除することを要請する段階をさらに含むことを特徴とする請求項３に記載のＳＣＴＰ基盤のハンドオーバ方法。
【請求項５】
インターネットを介して相手端末とＩＰ通信を行うためのＳＣＴＰセッションを開始する段階と、
前記インターネットに接続されたルータに接続されているそれぞれの基地局が送出したビーコン信号を受信するとともに、リンク階層状態情報データベースに保存する段階と、
前記相手端末との間に前記ＳＣＴＰセッションが確立されている間に、前記相手端末との通信リンクを提供する第１基地局が管理する第１通信領域と第２基地局が管理する第２通信領域とが重複する地域に進入すれば、前記リンク階層状態情報データベースに保存されているビーコン信号のうち前記第２基地局から受信したビーコン信号の信号強度を抽出する段階と、
前記信号強度抽出段階により抽出された信号強度が所定の第１臨界値より大きければ、前記第２基地局から受信したＩＰアドレスを前記相手端末との間に確立されたＳＣＴＰセッションに追加し、かつ前記第２基地局から受信したビーコン信号から抽出された信号強度が所定の第２臨界値より大きければ、前記相手端末に前記第２基地局から受信したＩＰアドレスによる通信実行を要請する段階とを含むことを特徴とするＳＣＴＰ基盤のハンドオーバ方法をコンピュータで実行させるためのプログラムを記録したコンピュータで読み取り可能な記録媒体。
【発明の詳細な説明】
【技術分野】
【０００１】
本発明は、ストリーミング制御伝送プロトコル（ＳＣＴＰ：Streaming Control Transmission Protocol）基盤のハンドオーバ機能を具備した端末装置及びハンドオーバ方法に係り、さらに詳細には、無線通信網で効率的なＩＰモビリティを提供するために、ＳＣＴＰを利用して応用サービスのシームレスなハンドオーバを提供できる端末装置及びその方法に関する。
【背景技術】
【０００２】
従来は、移動端末に対してＩＰモビリティを保証するために、移動端末は相手端末との通信のために使用中であるＩＰアドレス情報を位置管理サーバに登録し、相手端末は位置管理サーバに登録されているＩＰアドレス情報を利用して移動端末との接続を確立しなければならない。しかし、かような従来の方式によれば、端末の移動性を提供するために、位置管理サーバのようなネットワーク設備に対する追加的な投資が必要である。また、移動端末に対するハンドオーバをサポートするためには、ルータ間のトンネリングの実行及びネットワークに対する構造的な変化が必要であり、効率的なハンドオーバが保証されないという問題がある。
【発明の開示】
【発明が解決しようとする課題】
【０００３】
本発明がなそうとする技術的課題は、ネットワーク設備の助けなしに、自体に備わったＩＰモビリティを提供するモジュールにより、ＳＣＴＰ基盤のハンドオーバを行う端末装置及びハンドオーバ方法を提供するところにある。
本発明がなそうとする他の技術的課題は、ネットワーク設備の助けなしに、移動端末に備わったＩＰモビリティを提供するモジュールにより、ＳＣＴＰ基盤のハンドオーバを行う方法をコンピュータで実行させるためのプログラムを記録した、コンピュータで読み取り可能な記録媒体を提供するところにある。
【課題を解決するための手段】
【０００４】
前記の技術的課題を達成するための、本発明によるＳＣＴＰ基盤のハンドオーバ機能を具備した端末装置は、インターネットを介して相手端末とＩＰ通信を行うためのＳＣＴＰセッションを開始するとともに、前記相手端末との通信終了のために前記相手端末との間に確立されたＳＣＴＰセッションを終了するセッション管理部と、前記インターネットに接続されたルータに接続されているそれぞれの基地局が送出したビーコン信号を受信するとともに、リンク階層状態情報データベースに保存するリンク階層情報収集部と、前記相手端末との間に前記ＳＣＴＰセッションが確立されている間に、前記相手端末との通信リンクを提供する第１基地局が管理する第１通信領域と第２基地局が管理する第２通信領域とが重複する地域に進入すれば、前記リンク階層状態情報データベースに保存されているビーコン信号のうち前記第２基地局から受信したビーコン信号の信号強度を抽出する信号強度抽出部と、前記信号強度抽出部により抽出された信号強度が所定の第１臨界値より大きければ、前記第２基地局から受信したＩＰアドレスを前記相手端末との間に確立されたＳＣＴＰセッションに追加し、かつ前記第２基地局から受信したビーコン信号から抽出された信号強度が所定の第２臨界値より大きければ、前記相手端末に前記第２基地局から受信したＩＰアドレスによる通信実行を要請するハンドオーバ実行部とを具備する。
【０００５】
前記の技術的課題を達成するための、本発明によるＳＣＴＰ基盤のハンドオーバ方法は、インターネットを介して相手端末とＩＰ通信を行うためのＳＣＴＰセッションを開始する段階と、前記インターネットに接続されたルータに接続されているそれぞれの基地局が送出したビーコン信号を受信するとともに、リンク階層状態情報データベースに保存する段階と、前記相手端末との間に前記ＳＣＴＰセッションが確立されている間に、前記相手端末との通信リンクを提供する第１基地局が管理する第１通信領域と第２基地局が管理する第２通信領域とが重複する地域に進入すれば、前記リンク階層状態情報データベースに保存されているビーコン信号のうち前記第２基地局から受信したビーコン信号の信号強度を抽出する段階と、前記信号強度抽出部により抽出された信号強度が所定の第１臨界値より大きければ、前記第２基地局から受信したＩＰアドレスを前記相手端末との間に確立されたＳＣＴＰセッションに追加し、かつ前記第２基地局から受信したビーコン信号から抽出された信号強度が所定の第２臨界値より大きければ、前記相手端末に前記第２基地局から受信したＩＰアドレスによる通信実行を要請する段階とを有する。
これにより、移動端末にＳＣＴＰスタックを追加することによって、ネットワーク設備の投資コストを節減しつつ、効率的なハンドオーバを提供できる。
【発明の効果】
【０００６】
本発明によるＳＣＴＰ基盤のハンドオーバ機能を具備した端末装置及びハンドオーバ方法によれば、次世代Ａｌｌ−ＩＰ基盤の無線通信網で、リンク階層信号を利用してＳＣＴＰ基盤のＩＰハンドオーバを提供でき、現在商用化段階にある８０２．１６基盤のＷｉＢｒｏとＷＬＡＮとの間におけるような異なるタイプのネットワーク間のハンドオーバや、ＷＬＡＮ内での同一ネットワーク間のハンドオーバに適用され、セッション連続的なハンドオーバを提供できる。さらに、ネットワーク設備に対する追加的なコスト投資なしに、移動端末にＳＣＴＰスタックをハードウェア的またはソフトウェア的に追加することによって、効率的なハンドオーバを提供できる。
【発明を実施するための最良の形態】
【０００７】
以下、添付された図面を参照しつつ、本発明によるＳＣＴＰ基盤のハンドオーバ機能を具備した端末装置及びハンドオーバ方法の好ましい実施形態について詳細に説明する。
図１は、本発明によるＳＣＴＰ（ＳＣＴＰ：Streaming Control Transmission Protocol）基盤のハンドオーバ機能を具備した端末装置の備えられた全体ネットワークの構成を図示した図面である。
【０００８】
図１を参照すれば、全体ネットワークは、移動端末１００、ＩＰ基盤の基地局１１０−１，１１０−２、第１ルータ１２０、第２ルータ１３０、及び相手端末１４０から構成される。移動端末１００は、ＳＣＴＰスタックを搭載しており、自体が位置している地域を担当するＩＰ基盤の基地局１１０−１，１１０−２から通信のためのＩＰアドレスを割り当てられる。ＩＰ基盤の基地局１１０−１，１１０−２は、自体の通信領域に進入した移動端末１００と第１ルータ１２０との間に位置して信号を中継する。すなわち、ＩＰ基盤の基地局１１０−１，１１０−２は、移動端末１００から受信したＳＣＴＰデータパケットを第１ルータ１２０に伝達するとともに、第１ルータ１２０から受信した移動端末１００を目的地とするＳＣＴＰデータパケットを移動端末１００に伝達する。また、ＩＰ基盤の基地局１１０−１，１１０−２は、ビーコン信号を送出して、自体の通信領域に進入した移動端末１００に通信のためのＩＰアドレスを割り当てる。
【０００９】
第１ルータ１２０は、インターネットに接続され、ＩＰ基盤の基地局１１０−１，１１０−２から受信したＳＣＴＰデータパケットを、相手端末１４０を担当する第２ルータ１３０に伝送するとともに、移動端末１００を目的地とするＳＣＴＰデータパケットを、移動端末１００が位置している地域を担当するＩＰ基盤の基地局１１０−１，１１０−２に伝送する。第２ルータ１３０は、相手端末１４０から受信したＳＣＴＰデータパケットを、移動端末１００を担当する第１ルータ１２０に伝送するとともに、相手端末１４０を目的地とするＳＣＴＰデータパケットを相手端末１４０に伝達する。相手端末１４０は、ＳＣＴＰスタックを搭載しており、ＳＣＴＰにより移動端末１００と通信を行う装置である。図１には、相手端末１４０が固定サーバのような特定の場所に固定されている装置が図示されているが、相手端末１４０は、携帯電話、ＰＤＡ（Personal Digital Assistant）、ノート型パソコンのように移動性が保証される装置になりうる。このとき、相手端末１４０は、ルータ及びＩＰ基盤の基地局を介して通信を行う。
【００１０】
図１に示されたネットワーク内で、ＩＰ基盤の第１基地局１１０−１が担当する地域に位置した移動端末１００は、インターネットに接続されている相手端末１４０と通信経路を確立する。移動端末１００及び相手端末１４０は、確立された通信経路を介してデータの送受信を行う。相手端末１４０との通信実行中に、移動端末１００がＩＰ基盤の第２基地局１００−２が担当する地域に進入すれば、リンク階層を介してＩＰ基盤の第２基地局１００−２が送出する新しいリンクアップ（Link-Up）信号（例えば、ビーコン信号に含まれている基地局情報）が感知され、第２基地局１００−２から新しいＩＰアドレスを割り当てられる。その後、移動端末１００は、新しく割り当てられたＩＰアドレスをＳＣＴＰセッションに追加することによって、ハンドオーバを行うことができる。
【００１１】
図２は、本発明によるＳＣＴＰ基盤のハンドオーバ機能を具備した端末装置の詳細な構成を図示したブロック図である。
図２を参照すれば、本発明によるＳＣＴＰ基盤のハンドオーバ機能を具備した端末装置１００は、リンク階層状態情報データベース２１０、セッション管理部２２０、リンク階層情報収集部２３０、信号強度抽出部２４０、及びハンドオーバ実行部２５０を具備する。
【００１２】
リンク階層状態情報データベース２１０には、ＩＰ基盤の基地局１１０−１，１１０−２から受信したビーコン信号、ＩＰ基盤の基地局１１０−１，１１０−２から割り当てられたＩＰアドレス、ＩＰ基盤の基地局１１０−１，１１０−２から受信したビーコン信号の強度などが保存される。セッション管理部２２０は、インターネットを介して相手端末１４０とＩＰ通信を行うためのＳＣＴＰセッションを開始し、相手端末１４０との通信終了のために相手端末１４０との間に確立されたＳＣＴＰセッションを終了する。リンク階層情報収集部２３０は、それぞれのＩＰ基盤の基地局１１０−１，１１０−２から受信したビーコン信号をリンク階層状態情報データベースに保存する。信号強度抽出部２４０は、相手端末１４０との間にＳＣＴＰセッションが確立されている間に、相手端末１４０との通信リンクを提供するＩＰ基盤の第１基地局１１０−１が管理する第１通信領域とＩＰ基盤の第２基地局１１０−２が管理する第２通信領域とが重複する地域に進入すれば、リンク階層状態情報データベース２１０に保存されているビーコン信号のうち、ＩＰ基盤の第２基地局１１０−２が送出したビーコン信号の信号強度を抽出する。
【００１３】
ハンドオーバ実行部２５０は、信号強度抽出部２４０により抽出された信号強度が所定の第１臨界値より大きければ、ＩＰ基盤の第２基地局１１０−２から受信したＩＰアドレスを相手端末１４０との間に確立されたＳＣＴＰセッションに追加する。また、ハンドオーバ実行部２５０は、ＩＰ基盤の第２基地局１１０−２から受信したビーコン信号から抽出された信号強度が所定の第２臨界値より大きければ、相手端末１４０にＩＰ基盤の第２基地局１１０−２から受信したＩＰアドレスによる通信実行を要請する。
【００１４】
図３Ａ及び図３Ｂは、本発明によるＳＣＴＰ基盤のハンドオーバ方法の実行過程を図示したフローチャートである。
図３Ａ及び図３Ｂを参照すれば、セッション管理部２２０は、移動端末１００と通信しようとする相手端末１４０との接続を確立するために、ＳＣＴＰセッションを初期化する（Ｓ３００）。リンク階層情報収集部２３０は、移動端末１００の移動による、ＩＰ基盤の第１基地局１１０−１が担当する領域とＩＰ基盤の第２基地局１１０−２が担当する領域とが重複する地域への進入によって、ＩＰ基盤の第２基地局１１０−２から受信したリンクアップ信号及び新しく割当されたＩＰアドレスをリンク階層状態情報データベース２１０に保存する（Ｓ３１０）。信号強度抽出部２４０は、信号リンク階層状態情報データベース２１０に保存されているビーコン信号のうち、ＩＰ基盤の第２基地局１１０−２から受信したビーコン信号の信号強度を抽出する（Ｓ３２０）。
【００１５】
ハンドオーバ実行部２５０は、ＩＰ基盤の第２基地局１１０−２から受信したリンクアップ信号の強度が第１臨界値より大きければ（Ｓ３３０）、ＩＰ基盤の第２基地局１１０−２が割り当てたＩＰアドレスを相手端末１４０との間に確立されたＳＣＴＰセッションに追加し、これを相手端末１４０に通知する（Ｓ３４０）。次に、ハンドオーバ実行部２５０は、移動端末１００の持続的な移動により、ＩＰ基盤の第２基地局１１０−２から受信したリンクアップ信号の強度が第２臨界値より大きくなれば（Ｓ３５０）、相手端末１４０との通信のための主要データ送受信用ＩＰアドレスをＩＰ基盤の第２基地局１１０−２から割り当てられたＩＰアドレスに変更し、相手端末１４０に、ＩＰ基盤の第２基地局１１０−２から割り当てられたＩＰアドレスによる通信実行を要請するメッセージを伝送する（Ｓ３６０）。次に、移動端末１００がＩＰ基盤の第１基地局１１０−１が担当する領域を外れ、ＩＰ基盤の第１基地局１１０−１が担当する領域に対するリンクダウン（Link-Down）信号が感知されれば（Ｓ３７０）、移動端末１００は、相手端末１４０との間に確立されたＳＣＴＰセッションからＩＰ基盤の第１基地局１１０−１が割り当てたＩＰアドレスを該当ＳＣＴＰセッションから削除し、相手端末１４０にＩＰ基盤の第１基地局１１０−１が割り当てたＩＰアドレスの削除を要請する（Ｓ３８０）。以上の過程を介して、移動端末１００は、モバイルネットワークで特定のＳＣＴＰのセッション中に連続的なハンドオーバが可能である。
【００１６】
図４は、本発明によるＳＣＴＰ基盤のハンドオーバ機能を具備した端末装置と通信する相手端末が、移動端末から受信したメッセージを処理する過程を図示したフローチャートである。
【００１７】
図４を参照すれば、相手端末１４０は、移動端末１００から要請メッセージを受信すれば（Ｓ４００）、受信した要請メッセージに対して応答するかどうかを決定する（Ｓ４１０）。このとき、相手端末１４０が移動端末１００から受信する要請メッセージとしては、移動端末１００に新しく割り当てられたＩＰアドレスに対する確立報告要請、主要データ送受信用ＩＰアドレスの変更要請、既存ＩＰアドレスの削除要請などがある。受信した要請メッセージに対して応答する場合に、相手端末１４０は、移動端末１００から受信した要請メッセージに該当する動作を行う（Ｓ４２０）。次に相手端末１４０は、要請メッセージに該当する動作の実行結果を含む応答メッセージを移動端末１００に伝送する（Ｓ４３０）。このように、要請メッセージ及び応答メッセージは、ＳＣＴＰ制御パケットにより伝送されうる。
【００１８】
本発明はまた、コンピュータで読み取り可能な記録媒体にコンピュータで読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（Read-Only Memory）、ＲＡＭ（Random Access Memory）、ＣＤ−ＲＯＭ、磁気テープ、フロッピー（登録商標）ディスク、光データ記憶装置などがあり、またキャリアウェーブ（例えば、インターネットを介した伝送）の形態で具現されることも含む。また、コンピュータで読み取り可能な記録媒体は、ネットワークに接続されたコンピュータシステムに分散され、分散方式によってコンピュータで読み取り可能なコードが保存されて実行されうる。
【００１９】
以上、本発明の好ましい実施形態について図示して説明したが、本発明は、前述の特定の好ましい実施形態に限定されず、特許請求の範囲で請求する本発明の要旨を外れずに、当発明が属する技術分野で当業者ならばだれでも多様な変形実施が可能であるということはいうまでもなく、それと同じ変更は、特許請求の範囲の記載範囲内にある。
【図面の簡単な説明】
【００２０】
【図１】本発明によるＳＣＴＰ基盤のハンドオーバ機能を具備した端末装置が備えられた全体ネットワークの構成を図示した図面である。
【図２】本発明によるＳＣＴＰ基盤のハンドオーバ機能を具備した端末装置の詳細な構成を図示したブロック図である。
【図３Ａ】本発明によるＳＣＴＰ基盤のハンドオーバ方法の実行過程を図示したフローチャートである。
【図３Ｂ】本発明によるＳＣＴＰ基盤のハンドオーバ方法の実行過程を図示したフローチャートである。
【図４】本発明によるＳＣＴＰ基盤のハンドオーバ機能を具備した端末装置と通信する相手端末が、移動端末から受信したメッセージを処理する過程を図示したフローチャートである。
【符号の説明】
【００２１】
１００  ＳＣＴＰ基盤のハンドオーバ機能を具備した端末装置
２１０  リンク階層状態情報データベース
２２０  セッション管理部
２３０  リンク階層情報収集部
２４０  信号強度抽出部
２５０  ハンドオーバ実行部
【図１】
2008546272.tif 000003
【図２】
2008546272.tif 000004
【図３Ａ】
2008546272.tif 000005
【図３Ｂ】
2008546272.tif 000006
【図４】
2008546272.tif 000007
【国際調査報告】
2008546272.tif 000008
2008546272.tif 000009